(57)【要約】 【課題】遊技媒体との等価交換が可能な現金であるところの硬貨、紙幣に加えて、有価データが記録されたＩＣコインによる記憶媒体の貸し出しを可能にした遊技媒体貸出ユニットを提供することを目的とする。【解決手段】遊技機での遊技に用いる遊技媒体との等価交換が可能な硬貨及び有価データが記憶されたＩＣコインを受け入れるコイン受入部と、及び紙幣を受け入れる紙幣挿入部と、を備え、前記硬貨及びＩＣコインは、硬貨の適・不適及びその金種を判別する硬貨識別機を介して内部に取り込まれることを特徴とする遊技媒体貸出ユニット。【選択図】      図２
2005309864.tif 000002
【特許請求の範囲】
【請求項１】
遊技機での遊技に用いる遊技媒体との等価交換が可能な硬貨及び有価データが記憶されたＩＣコインを受け入れるコイン受入部と、及び紙幣を受け入れる紙幣挿入部と、を備え、前記硬貨及びＩＣコインは、硬貨の適・不適及びその金種を判別する硬貨識別機を介して内部に取り込まれることを特徴とする遊技媒体貸出ユニット。
【発明の詳細な説明】
【技術分野】
【０００１】
本発明は、投入された硬貨及び有価データが記憶されたＩＣコイン、更には紙幣を識別し、遊技者に遊技媒体を貸し出す遊技媒体貸出ユニットに関する。
【背景技術】
【０００２】
従来より遊技媒体であるパチンコ玉やメダルを貸し出す玉貸機やメダル貸機が知られている。この玉貸機やメダル貸機は、１００円及び５００円硬貨に加えて、一般的には千円紙幣の使用によるものが主流であった。併しながら近年では、千円紙幣に換えて、予め購入した金額を磁気情報として記憶させたＩＣコインが使用可能な玉貸機が主流となって来ている。この種の玉貸機では、ＩＣコインに記憶されている残高の範囲で遊技媒体の払い出しを行い、払い出し相当の金額が減額されて新たな残高となってはＩＣコインに記憶されるようになっている。尚、ＩＣコインは、従来のプリペイドカードに代わって取り扱いの便利さから急速に普及している。即ち、プリペイドカードと異なり、破損等の恐れがないこと、また特段、投入方向が限定されないなど遊技店・遊技者双方に取扱上の利点が見られる。
【特許文献１】特開平２００１−２３２０４８
【０００３】
前述した特許文献１の玉貸機は、遊技媒体貸出機構を備えており、ＩＣコインを利用した現金機対応ユニットであって、遊技客によってＩＣコインがコイン投入口から投入されたことによって遊技媒体データが読み取られ、残度数が残存している場合に、遊技媒体が玉切機によって所定の個数だけ玉切され、玉排出経路を通過し、次の玉排出経路を経由して玉ノズルから排出される構造となっていた。
【発明の開示】
【発明が解決しようとする課題】
【０００４】
上記した文献にあっては、当該ＩＣコインに記憶されている有価データ（遊技媒体との
等価交換が可能な価値データ）が無くなると、改めてコインを購入するために席を離れて
コイン発行機へ赴かねばならず、コイン残高が零になると遊技の中断を余儀なくするもの
であった。加えて、ＩＣコインの購入は遊技者にとって煩雑な行為であり、しかも、ＩＣ
コインの取り扱いに不慣れな遊技者は、従来通り現金の投入により遊技媒体の貸出を受け
て遊技を行う要望が強いが、硬貨、紙幣と言った現金に加えて、上記した有価データが記
憶されたＩＣコインによる遊技媒体の貸し出しを可能としたものは、提案されていなかっ
た。
【０００５】
本発明は上記に鑑み提案されたもので、遊技媒体との等価交換が可能な現金であるとこ
ろの硬貨、紙幣に加えて、有価データが記録されたＩＣコインによる記憶媒体の貸し出し
を可能にした遊技媒体貸出ユニットを提供することを目的とする。
【課題を解決するための手段】
【０００６】
本発明によれば、遊技機での遊技に用いる遊技媒体との等価交換が可能な硬貨及び有価データが記憶されたＩＣコインを受け入れるコイン受入部と、及び紙幣を受け入れる紙幣挿入部と、を備え、前記硬貨及びＩＣコインは、硬貨の適・不適及びその金種を判別する硬貨識別機を介して内部に取り込まれることを特徴とすることにより達成される。
【発明の効果】
【０００７】
以上のように本発明によれば、硬貨及びＩＣコインは、コイン受入部より受け入れた後、
硬貨の適・不適及びその金種を判別する硬貨識別機を介して内部に取り込まれる構造としたので、硬貨及びＩＣコインそれぞれの専用の取込通路を必要としない遊技媒体貸出ユニットを提供することができる。
【実施例１】
【０００８】
以下、本発明の第１の実施例を、図面に従って説明する。図１は、本発明にかかる遊技媒体貸出ユニットの内部構成をあらわす図であって、硬貨が投入された場合を示す、図２は同ＩＣコインが投入された場合を示す。図３は遊技媒体貸出ユニットの正面図を示す。  
【０００９】
図１、図２において、１０は遊技機に隣接して設置される遊技媒体貸出ユニットである。１１は、１００円、５００円硬貨、及びＩＣコインＣのコイン受入部である。１２は、投入された硬貨及びＩＣコインＣが落下するコイン通路である。１３は硬貨識別機で、コイン通路１２に臨ませ通過する硬貨Ｋの適・不適と、適正硬貨の種別を識別し、ＩＣコインＣにあっては単に取込通路の役目を成すものである。１４は、前記適と識別された硬貨Ｋ１を回収するための回収通路で、不適と識別された硬貨Ｋ２は、返却通路１５を介して返却口１６に返却される。１７は、第１リーダーライターを備えた第１コイン処理部であり、ＩＣコインＣに記憶される有価データを読取り書込みする。１８は、ＩＣコインの貯留通路である。１９は、第２リーダーライターを備えた第２コイン処理部である。
【００１０】
２１は、千円、２千円、５千円、１万円紙幣の紙幣挿入部である。２３は紙幣識別機で、紙幣Ｓの良否及び金種を識別し、真券紙幣は回収される。３０は予め設定された金額分の硬貨Ｋ、ＩＣコインＣ及び紙幣Ｓの投入を受けて遊技媒体を払い出す遊技媒体払出処理部、４０は遊技媒体払出部、５０は会員カード処理部である。
【００１１】
６０は、遊技媒体貸出ユニット１０を制御する制御部である。７０は、制御部６０からの硬貨情報（金種）、紙幣情報（金種）及びＩＣコイン情報（例えば有価価値が特定できるＩＤ情報又は金額情報等）を受けて、管理装置（例えばホールコンピュータ）に伝送し、記憶させる通信制御部である。
【００１２】
更に、ＩＣコインＣが受け入れられた場合の動作について説明する。コイン受入部口１１から手持ちのＩＣコインＣが投入されると、コイン通路１２を介して硬貨識別機１３に案内される。硬貨識別機１３では不適硬貨と識別され、返却通路１５に案内される。返却通路１５の途中には、第１リーダーライターを備えたコイン処理部１７が設けられており、ＩＣコインＣに記憶されている有価データ（ＩＤ番号）の読み取りが行なわれ、当該有価データの金額範囲で遊技媒体の払い出し処理が成される。その後、当該ＩＣコインＣのＩＤ番号が消去され、ＩＣコインＣは貯留部１８に案内される。尚、第１リーダーライターでＩＣコインＣに記憶される情報を読み取った結果、偽造等と判別されたＩＣコイン及び不適硬貨の場合は、コイン処理部１７にて返却通路１５に案内され、遊技者（返却口１６）に返却する。
【００１３】
前記第１リーダーライターで読み取られたＩＣコインＣに記憶されていたＩＤ番号情報は、通信制御部７０を介して管理装置（図示せず）で照合され、当該ＩＤ番号に対応する残額を減算して更新記憶される。
【００１４】
遊技終了時において、残額がある場合は、第２コイン処理部１９の第２リーダーライターに臨んでいるＩＣコインＣにＩＤ番号を書込んだ（記憶させた）のちコイン処理部１９にて返却通路１５、即ち遊技者（返却口１６）に返却する。尚、書込みエラーが生じた場合には、当該ＩＣコインＣは、エラーコイン収納部２０に収納される。  
【図面の簡単な説明】
【００１５】
【図１】本発明の実施形態に係る遊技媒体貸出ユニットの内部構成図である。
【図２】本発明の実施形態に係る遊技媒体貸出ユニットの内部構成図である。
【図３】本発明の遊技媒体貸出ユニットの正面図である。
【符号の説明】
【００１６】
１０    遊技媒体貸出ユニット  １１    コイン受入部  １２    コイン通路  １３    硬貨識別機  １５    返却通路  １７    第１コイン処理部  １９    第２コイン処理部  ２１    紙幣挿入部  ２３    紙幣識別機
【図１】
2005309864.tif 000003
【図２】
2005309864.tif 000004
【図３】
2005309864.tif 000005